(57)【要約】【課題】ユーザに対してより有益な方法により情報配信を行う技術を提供すること。【解決手段】情報配信装置は、情報配信の対象エリアに滞在しているユーザのうち、前記滞在の開始後に所定のタイミングに達したユーザを配信タイミング充足ユーザとして特定し、対象エリアへの滞在で未だ滞在していないサブエリアを有する配信タイミング充足ユーザを配信対象ユーザとして特定する。そして、情報配信装置は、配信対象ユーザに対して、当該ユーザが達した前記タイミングに応じたタイミングで、未だ滞在していないサブエリアに関連付けられた情報を配信する。【選択図】図２
2014192587.tif 000002
【特許請求の範囲】
【請求項１】
携帯端末の測位情報に基づいて、対象エリアに所定時間以上滞在している携帯端末のユーザを滞在ユーザとして特定する滞在ユーザ特定手段と、
前記滞在ユーザのうち、予め設定されたタイミング条件を前記滞在の開始後に満たした前記滞在ユーザを配信タイミング充足ユーザとして特定する配信タイミング充足ユーザ特定手段と、
前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定手段と、
前記配信対象ユーザの携帯端末に対して、当該配信対象ユーザが満たす前記タイミング条件に応じたタイミングで、前記滞在していないサブエリアに関連付けられた情報を配信する配信手段と
を備えたことを特徴とする情報配信装置。
【請求項２】
前記タイミング条件は、前記滞在ユーザが、前記対象エリアを出たという条件を含むことを特徴とする請求項１に記載の情報配信装置。
【請求項３】
前記タイミング条件は、前記滞在ユーザが、前記対象エリアへの滞在時間が予め設定された時間を経過したという条件を含むことを特徴とする請求項１又は２に記載の情報配信装置。
【請求項４】
前記タイミング条件は、予め設定された時刻に前記滞在ユーザが前記対象エリアに滞在しているという条件を含むことを特徴とする請求項１から３のいずれか１項に記載の情報配信装置。
【請求項５】
前記タイミング条件は、前記対象エリアごとに設定されることを特徴とする請求項１から４のいずれか１項に記載の情報配信装置。
【請求項６】
前記配信される情報は、いずれの前記タイミング条件を満たしたかに応じて異なることを特徴とする請求項１から５のいずれか１項に記載の情報配信装置。
【請求項７】
前記配信される情報は、既に滞在した前記サブエリアに基づいて設定された情報を含むことを特徴とする請求項１から６のいずれか１項に記載の情報配信装置。
【請求項８】
前記配信タイミング充足ユーザ特定手段は、前記ユーザの自宅位置の情報を参照し、前記自宅位置が前記対象エリア内に存在する前記ユーザを含まないように前記配信タイミング充足ユーザを特定することを特徴とする請求項１から７のいずれか１項に記載の情報配信装置。
【請求項９】
制御部を備える情報配信装置において実施される方法であって、
前記制御部が、携帯端末の測位情報に基づいて、対象エリアに所定時間以上滞在している携帯端末のユーザを滞在ユーザとして特定する滞在ユーザ特定ステップと、
前記制御部が、前記滞在ユーザのうち、予め設定されたタイミング条件を前記滞在の開始後に満たした前記滞在ユーザを配信タイミング充足ユーザとして特定する配信タイミング充足ユーザ特定ステップと、
前記制御部が、前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定ステップと、
前記制御部が、前記配信対象ユーザの携帯端末に対して、当該配信対象ユーザが満たす前記タイミング条件に応じたタイミングで、前記滞在していないサブエリアに関連付けられた情報を配信する配信手段と
を備えたことを特徴とする情報配信方法。
【請求項１０】
コンピュータを、
携帯端末の測位情報に基づいて、対象エリアに所定時間以上滞在している携帯端末のユーザを滞在ユーザとして特定する滞在ユーザ特定手段、
前記滞在ユーザのうち、予め設定されたタイミング条件を前記滞在の開始後に満たした前記滞在ユーザを配信タイミング充足ユーザとして特定する配信タイミング充足ユーザ特定手段、
前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定手段、
前記配信対象ユーザの携帯端末に対して、当該配信対象ユーザが満たす前記タイミング条件に応じたタイミングで、前記滞在していないサブエリアに関連付けられた情報を配信する配信手段
として機能させるためのプログラム。
【発明の詳細な説明】
【技術分野】
【０００１】
本発明は、携帯端末の測位情報を処理する技術に関する。
【背景技術】
【０００２】
近年、測位機能付きの携帯端末の測位情報から携帯端末の位置を特定し、特定された位置付近に存在する施設等の情報（例えば、広告）をその携帯端末に配信する技術が知られている。また、このような情報配信は、ユーザにとってより価値のある情報を配信することが求められている。例えば、特許文献１には、ナビゲーション装置の現在位置が施設から所定範囲内に位置したときに、その施設の広告情報のうち、そのナビゲーション装置のユーザの利用履歴がある施設の広告情報を除外した広告情報を通知する技術について開示されている。
【先行技術文献】
【特許文献】
【０００３】
【特許文献１】特開２００９−１３９１９６号公報
【発明の概要】
【発明が解決しようとする課題】
【０００４】
しかしながら、利用履歴がある施設であっても、１回のトリップ（ある拠点から目的地へ移動し、その後ある拠点へ移動すること。）において、ユーザがその施設の付近に滞在した場合に、その滞在中にその施設についての情報を通知すれば、その情報はユーザにとって価値ある情報となりうる。また、通常、いつ情報が通知されたかによって、その情報の価値は変動するため、上記の従来技術のように、現在位置が施設から所定範囲内に位置しているという条件のみで情報を通知することはユーザにとって有益にならない場合もある。
【０００５】
本発明は上記に鑑みてなされたものであり、その目的は、ユーザに対してより有益な方法により情報配信を行う技術を提供することにある。
【課題を解決するための手段】
【０００６】
本発明に係る情報配信装置は、携帯端末の測位情報に基づいて、対象エリアに所定時間以上滞在している携帯端末のユーザを滞在ユーザとして特定する滞在ユーザ特定手段と、前記滞在ユーザのうち、予め設定されたタイミング条件を前記滞在の開始後に満たした前記滞在ユーザを配信タイミング充足ユーザとして特定する配信タイミング充足ユーザ特定手段と、前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定手段と、前記配信対象ユーザの携帯端末に対して、当該配信対象ユーザが満たす前記タイミング条件に応じたタイミングで、前記滞在していないサブエリアに関連付けられた情報を配信する配信手段とを備えたことを特徴とする。
【０００７】
本発明に係る情報配信方法は、制御部を備える情報配信装置において実施される方法であって、前記制御部が、携帯端末の測位情報に基づいて、対象エリアに所定時間以上滞在している携帯端末のユーザを滞在ユーザとして特定する滞在ユーザ特定ステップと、前記制御部が、前記滞在ユーザのうち、予め設定されたタイミング条件を前記滞在の開始後に満たした前記滞在ユーザを配信タイミング充足ユーザとして特定する配信タイミング充足ユーザ特定ステップと、前記制御部が、前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定ステップと、前記制御部が、前記配信対象ユーザの携帯端末に対して、当該配信対象ユーザが満たす前記タイミング条件に応じたタイミングで、前記滞在していないサブエリアに関連付けられた情報を配信する配信手段とを備えたことを特徴とする。
【０００８】
本発明に係るプログラムは、コンピュータを、携帯端末の測位情報に基づいて、対象エリアに所定時間以上滞在している携帯端末のユーザを滞在ユーザとして特定する滞在ユーザ特定手段、前記滞在ユーザのうち、予め設定されたタイミング条件を前記滞在の開始後に満たした前記滞在ユーザを配信タイミング充足ユーザとして特定する配信タイミング充足ユーザ特定手段、前記測位情報に基づいて、前記対象エリアに含まれるサブエリアのうち、前記滞在の開始後、未だ滞在していない前記サブエリアを有する前記配信タイミング充足ユーザを配信対象ユーザとして特定する配信対象ユーザ特定手段、前記配信対象ユーザの携帯端末に対して、当該配信対象ユーザが満たす前記タイミング条件に応じたタイミングで、前記滞在していないサブエリアに関連付けられた情報を配信する配信手段として機能させることを特徴とする。
【０００９】
また、本発明のプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１０】
また、本明細書等において、「部」とは、単に物理的構成を意味するものではなく、その構成が有する機能をソフトウェアによって実現する場合も含む。また、１つの構成が有する機能が２つ以上の物理的構成により実現されても、２つ以上の構成の機能が１つの物理的構成により実現されてもよい。
【発明の効果】
【００１１】
本発明によれば、ユーザに対してより有益な方法により情報配信を行う技術を提供することができる。
【図面の簡単な説明】
【００１２】
【図１】一実施形態におけるシステムの構成を示す概念図である。
【図２】一実施形態における情報配信装置の機能構成を示すブロック図である。
【図３】一実施形態において、情報配信装置に記憶された情報の構成を示す図である。
【図４】一実施形態において、情報配信装置に記憶された情報の構成を示す図である。
【図５】一実施形態における情報配信の方法を概念的に示す図である。
【図６】一実施形態における情報配信の方法を概念的に示す図である。
【図７】一実施形態における情報配信の方法を概念的に示す図である。
【図８】一実施形態における情報配信装置で実施される処理を示すフローチャートである。
【発明を実施するための形態】
【００１３】
以下、本発明の実施形態について、図面を参照しつつ詳細に説明する。ただし、発明の範囲をこれらに限定するものではない。
【００１４】
まず、本実施形態における情報配信システムの概要を説明する。情報配信システムは、情報配信装置から、情報配信の対象エリアに滞在する携帯端末（又は、滞在後、対象エリアを出た携帯端末）に対して情報を配信するためのシステムである。配信される情報は、対象エリアを構成する小さなエリア（以下、サブエリアという。）のうち、対象エリアの滞在ユーザが今回の滞在で未だ滞在していないサブエリアについての情報となる。情報配信を行う対象エリアとしては、観光地（例えば、熱海エリア、日光エリアなど）、営業エリア（営業担当者が外回りをするエリア）、商品配達エリア（例えば、新聞や牛乳などの配達エリア）、商業施設（例えば、遊園地、ショッピングセンター、アウトレットなど）が存在するエリアなど、情報配信を必要とする様々なエリアが考えられる。
【００１５】
図１を参照して、一実施形態に係る情報配信システムの構成について説明する。情報配信システム１は、情報配信装置１０及び複数の携帯端末２０などの情報処理装置を主に備える。情報配信装置１０と複数の携帯端末２０は、ネットワークＮを介して相互に通信することができる。なお、図１では、３つの携帯端末２０が記載されているが、情報配信装置１０と通信可能な携帯端末２０の数は、任意である。
【００１６】
ネットワークＮは、情報配信装置１０と携帯端末２０との間で情報を送受信するための通信回線である。例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１７】
情報配信装置１０は、ハードウェア構成として、制御部１１、通信部１４、及び記憶部１５を主に備える。制御部１１は、ＣＰＵ（Ｃｅｎｔｒａｌ  Ｐｒｏｃｅｓｓｉｎｇ  Ｕｎｉｔ）１２及びメモリ１３を主に備えて構成される。情報配信装置１０は、専用又は汎用のサーバ・コンピュータなどの情報処理装置を用いて実現することができ、例えば、ＣＰＵ１２がメモリ１３等に格納された所定のプログラムを実行することにより、各種の機能実現手段として機能する。なお、情報配信装置１０は、単一の情報処理装置より構成されるものであっても、ネットワーク上に分散した複数の情報処理装置より構成されるものであってもよい。
【００１８】
制御部１１では、ＣＰＵ１２は、記憶部１５等に記憶されたプログラムをメモリ１３に展開して実行することにより、情報配信装置１０が備える各種構成の動作を制御し、また、各種処理の実行を制御する。制御部１１において実行される処理の詳細は後述する。
【００１９】
通信部１４は、ネットワークＮを介して携帯端末２０等の各種情報処理装置と通信するための通信インタフェースである。通信部１４は、例えば、携帯端末２０からの測位情報を受信する。
【００２０】
記憶部１５は、ハードディスク等の記憶装置によって構成される。記憶部１５は、制御部１１における処理の実行に必要な各種プログラムや各種の情報を記憶する。記憶部１５に記憶されている情報の具体例については後述する。
【００２１】
携帯端末２０は、例えば、携帯電話機、ＰＤＡ、パーソナルコンピュータなどの現在位置を測位した測位情報を所定時間間隔でアップロードする機能を備えた情報端末を適用することができる。携帯端末２０は、図示しないが、主制御部、通信部、表示部、操作部、記憶部、測位処理部などの各種機能実現手段を主に備える。
【００２２】
図２を参照して、一実施形態に係る情報配信装置１０の機能構成を説明する。情報配信装置１０は、機能構成として、滞在ユーザ特定部１１１、配信タイミング充足ユーザ特定部１１２、配信対象ユーザ特定部１１３、配信情報設定部１１４、配信部１１５及びデータベース１２０を主に備える。これらの機能は、例えば、制御部１１において、ＣＰＵ１２が、記憶部１５等に記憶されたプログラムをメモリ１３に展開して実行することにより実現される。
【００２３】
滞在ユーザ特定部１１１は、測位情報に基づいて、情報配信を行うエリアとして予め設定された対象エリアに滞在している携帯端末２０のユーザを滞在ユーザとして特定する。具体的には、滞在ユーザ特定部１１１は、まず、データベース１２０に記憶された測位情報を参照して、予め設定された情報配信の対象エリア（例えば、熱海エリア）に現在滞在しており、かつ、所定時間（例えば、３０分）以上滞在している携帯端末２０のユーザを滞在ユーザとして特定し、特定した滞在ユーザの情報をデータベース１２０に記憶する。情報配信の対象エリアの情報は、データベース１２０に予め記憶されている。なお、滞在ユーザ特定部１１１による処理は、任意のタイミング（例えば、５分ごと）で行われる。
【００２４】
配信タイミング充足ユーザ特定部１１２は、滞在ユーザ特定部１１１により特定された滞在ユーザのうち、予め設定されたタイミング条件を今回の対象エリアへの滞在の開始後に満たしたユーザを配信タイミング充足ユーザとして特定する。具体的には、配信タイミング充足ユーザ特定部１１２は、特定された滞在ユーザのうち、情報配信を行うユーザを特定するための条件としてタイミングの面から定めた条件（タイミング条件）を今回の対象エリアへの滞在の開始後に満たした滞在ユーザを配信タイミング充足ユーザとして特定する。タイミング条件の情報は、データベース１２０に予め記憶されている。なお、データベース１２０に携帯端末２０のユーザの自宅位置の情報が記憶されている場合、配信タイミング充足ユーザ特定部１１２は、データベース１２０を参照し、自宅位置が対象エリア内にあるユーザを含まないように配信タイミング充足ユーザを特定しても良い。なお、配信タイミング充足ユーザ特定部１１２による処理は、任意のタイミング（例えば、５分ごと）で行われる。
【００２５】
図３（Ａ）は、データベース１２０に記憶された測位情報の例を示している。この例では、測位情報は、携帯端末２０が測位された時刻である測位時刻、携帯端末２０の識別情報である携帯端末ＩＤ、携帯端末２０が測位された位置である測位位置（緯度、及び経度）の情報を含む。
【００２６】
図３（Ｂ）は、データベース１２０に記憶された対象エリア情報の例を示している。この例では、対象エリア情報は、エリアＩＤ、種別、属性、属するエリア、名称及び位置の情報を含む。「エリアＩＤ」は、エリアまたは後述するサブエリアを識別する情報である。「種別」は、そのエリアが、対象エリアであるか、対象エリアに含まれるサブエリア（広域なエリアである対象エリアを構成する狭域なエリア。）であるかを示す情報である。「属性」は、そのエリアの性質を示すものであり、例えば、そのエリアが観光地である、営業エリアである、又は商業施設であることを示す情報である。「属するエリア」は、そのエリアがサブエリアである場合、どの対象エリアに含まれるかを示す情報である。「位置」は、そのエリアの位置を示す情報であり、この例では、地図を所定の大きさ及び形状で区切った領域の識別情報で示されている。
【００２７】
図３（Ｃ）は、データベース１２０に記憶された滞在ユーザ情報の例を示している。この例では、滞在ユーザ情報は、所定の時間以上滞在したサブエリアごとに情報を記憶しており、ユーザＩＤ、自宅出発時刻、滞在エリア、滞在開始時刻、及び滞在終了時刻の情報を含む。「ユーザＩＤ」は、そのエリアに所定の時間以上滞在した携帯端末２０のユーザを識別する情報である。「自宅出発時刻」は、そのユーザの自宅位置（または自宅エリア位置）がユーザ情報としてデータベース１２０に記憶されている場合に記憶される情報であり、その自宅位置を出発した時刻を示す。「滞在エリア」は、そのユーザが所定の時間以上滞在したサブエリアを示す情報である。「滞在開始時刻」は、その滞在エリア（サブエリア）への滞在の開始時刻（その滞在エリアでの最初の測位時刻）を示す情報である。「滞在終了時刻」は、ユーザが既にその滞在エリアから出ている場合、その滞在の時刻（その滞在エリアでの最後の測位時刻）を示す情報である。
【００２８】
図４（Ａ）は、データベース１２０に記憶されたタイミング条件情報の例を示している。この例では、タイミング条件情報は、タイミングＩＤ、エリアＩＤ、及びタイミングの情報を含む。「タイミングＩＤ」は、情報配信のタイミングを識別する情報である。「エリアＩＤ」は、情報配信の対象となる対象エリアを識別する情報である。「タイミング」は、その対象エリアへの情報配信のタイミングを示す情報である。
【００２９】
なお、図４（Ａ）の例では、対象エリアごとにタイミング条件の情報を設定してデータベース１２０に記憶しているが、これに限定しない。例えば、対象エリアの属性（例えば、観光地であるか、商業施設であるか）ごとにタイミング条件の情報を記憶しても良い。この場合、対象エリアの属性に応じたタイミングで、情報配信が行われることになる。例えば、観光地の方が商業施設よりも長い時間滞在する傾向があるとする。この場合、観光地である対象エリアへの滞在の開始から５時間を送信タイミングとして、商業施設である対象エリアへの滞在の開始から２時間を送信タイミングとしてデータベース１２０に記憶しても良い。
【００３０】
図２の説明に戻る。配信対象ユーザ特定部１１３は、配信タイミング充足ユーザ特定部１１２により特定された配信タイミング充足ユーザのうち、対象エリアへの今回の滞在（滞在の開始からタイミング条件を満たすまでの間）で未滞在のサブエリアがある配信タイミング充足ユーザを配信対象ユーザとして特定する。具体的には、配信対象ユーザ特定部１１３は、データベース１２０に記憶された（測位情報を参照して得られた）滞在ユーザ情報を参照して、対象エリア内のサブエリアのうち、滞在の開始から前述のタイミング条件を満たしたときまでに、未滞在であるサブエリアがある配信タイミング充足ユーザを配信対象ユーザとして特定する。なお、配信対象ユーザ特定部１１３による処理は、任意のタイミング（例えば、配信タイミング充足ユーザ特定部１１２により配信タイミング充足ユーザが特定されたタイミング。）で行われる。
【００３１】
配信情報設定部１１４は、データベース１２０に記憶された配信内容情報を参照して、配信対象ユーザ特定部１１３により特定された配信対象ユーザが対象エリア内において今回の滞在の開始後、未滞在であるサブエリアに関連付けられた配信内容情報を特定し、特定された配信内容情報を当該配信対象ユーザへ配信する内容として設定する。配信情報設定部１１４は、未滞在であるサブエリアに関連付けられた配信内容情報を全て、配信内容として設定しても良いし、一部の配信内容情報を配信内容として設定しても良い。なお、配信情報設定部１１４による処理は、任意のタイミング（例えば、配信対象ユーザ特定部１１３により配信対象ユーザが特定されたタイミング。）で行われる。
【００３２】
一部の配信内容情報を設定する場合、例えば、配信対象ユーザが滞在済みであるサブエリアと関連性のあるサブエリアに関連付けられた配信内容情報のみを設定しても良い。サブエリアの関連性とは、例えば、サブエリアの属性が共通している（例えば、サブエリアの属性がいずれも「寺院」であるなど。）関係である。もしくは、あるサブエリアＡ１への滞在ユーザの多く（例えば、７０％以上）がサブエリアＡ２へも滞在している場合、２つのサブエリアは関連性があるとしても良い。すなわち、配信される情報は、既に滞在したサブエリアに基づいて設定された情報を含むように設定することができる。
【００３３】
図４（Ｂ）は、データベース１２０に記憶された配信内容情報の例を示している。この例では、配信内容情報は、配信内容ＩＤ、エリアＩＤ、タイミングＩＤ、及び内容の情報を含む。「配信内容ＩＤ」は、配信内容を識別する内容である。「エリアＩＤ」は、サブエリアを識別する情報である。「タイミングＩＤ」は、情報配信のタイミングを識別する情報である。「内容」は、そのサブエリアに関連付けられた配信内容の情報である。また、この例では、「タイミングＩＤ」ごとに配信内容情報を記憶しているため、１つのサブエリアについて、タイミング条件に応じて異なる内容の情報を配信することができる。すなわち、予め設定された送信タイミングのうち、いずれのタイミング条件を満たしたかに応じて異なる内容の情報を配信することができる。
【００３４】
配信部１１５は、配信対象ユーザのアドレス情報を参照して、配信対象ユーザ特定部１１３により特定された配信対象ユーザに対して、配信情報設定部１１４により設定された内容を配信する。配信対象ユーザのアドレス情報は、データベース１２０にユーザ情報として記憶されている。配信部１１５による配信は、配信対象ユーザが満たすタイミング条件に応じたタイミングで行われる。例えば、まず、配信タイミング充足ユーザ特定部１１２が定期的（例えば、５分ごと）にタイミング条件を満たす滞在ユーザを特定する（すなわち、配信タイミング充足ユーザを特定する）処理を行う。そして、タイミング条件を満たす滞在ユーザが特定されたタイミングで、配信対象ユーザ特定部１１３による処理と、配信情報設定部１１４による処理とを順次行い、その後、配信部１１５が配信の処理を行うことができる。
【００３５】
データベース１２０は、情報配信装置１０において実行される上記の処理に必要な情報、及び当該処理により生成された情報など、各種情報を記憶する。データベース１２０は、例えば、測位情報、地図情報、滞在ユーザ情報、対象エリア情報、タイミング条件情報、配信内容情報及びユーザ情報を記憶している。ユーザ情報には、そのユーザの自宅位置（または自宅エリア位置）の情報を含めることができる。自宅位置の情報は、ユーザ入力に基づいて収集された情報でもよいし、携帯端末２０の測位情報に基づいて求められた情報でもよい。測位情報に基づいて携帯端末２０のユーザの自宅位置を求める方法として、例えば、測位情報から得られた所定の期間における測位回数、滞在時間及び滞在日数のうち少なくとも２つが最大である位置を自宅位置とすることができる。
【００３６】
図５から図７を参照して、情報配信を行うユーザを特定するための条件としてタイミングの観点で設定された条件であるタイミング条件の例と、配信する情報の設定の例について説明する。図５は、対象エリアであるエリアＡに所定の時刻（例えば、７：００）にユーザが滞在しているときをタイミング条件とする例を示している。このようにタイミング条件を設定することによって、対象エリアに宿泊するユーザが情報を必要としている可能性が高いタイミングで情報配信を行うことができる。例えば、７：００にタイミング条件を設定した場合、観光地である対象エリアへの宿泊客であるユーザが宿に宿泊した朝、対象エリア内でまだ滞在していないサブエリア（図５の例では、サブエリアＡ４及びＡ５）についての情報の配信を受ける。その結果、朝にその日の行動スケジュールを立てていたユーザは、配信された情報に基づいて、その日の行動をスケジュールすることができるため、ユーザに対してより有益な方法により情報配信を行うことができる。
【００３７】
図６は、対象エリアであるエリアＢに予め設定された時間（例えば、２時間）以上滞在しているときをタイミング条件とする例を示している。このようにタイミング条件を設定することによって、図５の例と同様に、ユーザが情報を必要としている可能性が高いタイミングで情報配信を行うことができる。例えば、商業施設であるエリアＢのユーザの平均滞在時間が３時間程度である場合、エリアＢへ滞在中のユーザのうち、滞在から２時間経過したユーザに対して未滞在のサブエリアの情報を配信することによって、ユーザは、配信された情報に基づいて、その後の行動スケジュールを立てることができる。従って、ユーザに対してより有益な方法により情報配信を行うことができる。
【００３８】
図７は、対象エリアであるエリアＣへの滞在ユーザがエリアＣから出たときをタイミング条件とする例を示している。このようにタイミング条件を設定することによっても、ユーザが情報を必要としている可能性が高いタイミングで情報配信を行うことができる。例えば、エリアＣは、営業担当者であるユーザが外回りをするための対象エリアであるとする。ユーザが立ち寄らなければならないサブエリアに立ち寄らずにエリアＣを出てしまった場合に、そのサブエリアに立ち寄っていないことを通知する情報の配信をそのユーザに対して行うことができる。すなわち、ユーザに対して有益な方法により情報配信を行うことができる。
【００３９】
次に、図８を参照して、情報配信装置１０において実行される処理のフローを説明する。なお、以下に説明する処理フローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００４０】
まず、ステップＳ１１において、滞在ユーザ特定部１１１は、データベース１２０に記憶された測位情報を参照して、予め設定された情報配信の対象エリア（例えば、熱海エリア）に現在滞在しており、かつ、所定時間（例えば、３０分）以上滞在している携帯端末２０のユーザを滞在ユーザとして特定し、特定した滞在ユーザの情報をデータベース１２０に記憶する。
【００４１】
ステップＳ１２において、配信タイミング充足ユーザ特定部１１２は、特定された滞在ユーザのうち、情報配信を行うユーザを特定するための条件としてタイミングの観点から定めた条件（タイミング条件）に達した滞在ユーザを配信タイミング充足ユーザとして特定する。タイミング条件の情報は、データベース１２０に予め記憶されている。
【００４２】
ステップＳ１３において、配信対象ユーザ特定部１１３は、データベース１２０に記憶された（測位情報に基づいて得られた）滞在ユーザ情報を参照して、対象エリア内のサブエリアのうち、滞在の開始から前述のタイミング条件を満たしたときまでに、未滞在であるサブエリアがある配信タイミング充足ユーザを配信対象ユーザとして特定する。
【００４３】
ステップＳ１４において、配信情報設定部１１４は、データベース１２０に記憶された配信内容情報を参照して、ステップＳ１３で特定された配信対象ユーザが今回の滞在において対象エリア内で未滞在であるサブエリアに関連付けられた配信内容情報を特定し、特定された配信内容情報を当該配信対象ユーザへ配信する内容として設定する。
【００４４】
ステップＳ１５において、配信部１１５は、配信対象ユーザのアドレス情報を参照して、ステップＳ１３で特定された配信対象ユーザに対して、ステップＳ１４で設定された内容で情報配信を行う。配信部１１５は、配信対象ユーザが満たしたタイミング条件に応じたタイミングで、情報配信を行う。
【００４５】
以上のように図８に示した処理によれば、情報配信装置１０は、情報配信の対象エリアに滞在しているユーザのうち、今回の対象エリアへの滞在の開始後に所定のタイミングに達したユーザを配信タイミング充足ユーザとして特定し、対象エリアへの滞在で未だ滞在していないサブエリアを有する配信タイミング充足ユーザを配信対象ユーザとして特定する。そして、情報配信装置１０は、配信対象ユーザに対して、未だ滞在していないサブエリアに関連付けられた情報を配信する。その結果、情報配信装置１０は、１回のトリップ（ある拠点から目的地へ移動し、その後ある拠点へ移動すること。）中に、ユーザが対象エリアに滞在した場合に、その滞在の開始後にその対象エリアに含まれるサブエリアについての情報を配信することができ、また、ユーザと対象エリアとの間の位置関係以外の条件も情報配信の条件とすることができる。すなわち、情報配信装置１０は、ユーザに対してより有益なタイミングで有益な情報の配信を行うことができる。
【００４６】
本発明は、上記した実施の形態に限定されるものではなく、本発明の要旨を逸脱しない範囲内において、他の様々な形で実施することができる。上記実施形態はあらゆる点で単なる例示にすぎず、限定的に解釈されるものではない。
【符号の説明】
【００４７】
１  情報配信システム、１０  情報配信装置、１１  制御部、１２  ＣＰＵ、１３  メモリ、１４  通信部、１５  記憶部、２０  携帯端末
【図１】
2014192587.tif 000003
【図２】
2014192587.tif 000004
【図３】
2014192587.tif 000005
【図４】
2014192587.tif 000006
【図５】
2014192587.tif 000007
【図６】
2014192587.tif 000008
【図７】
2014192587.tif 000009
【図８】
2014192587.tif 000010